(57)【要約】      （修正有）【課題】所望のエンジン出力を実現するとともに吹き抜けを抑制する。【解決手段】吸気ポートに燃料を噴射する燃料噴射弁１１と、少なくとも吸気弁１２の開閉タイミングを変化させる可変動弁機構２０とを具備したエンジン１０の制御装置１であって、エンジン１０の吸気通路１５を流通する吸入空気量Ｑを検出する検出手段３と、吸入空気量Ｑに応じて吸気弁１２の開弁タイミングを設定する第一制御手段１Ｅと、吸入空気量Ｑに応じて燃料噴射弁１１の噴射開始時刻を設定する第二制御手段１Ｆと、を備える。第一制御部１Ｅは、吸入空気量Ｑが所定値Ｑｏ以上の第一範囲にある場合には、吸入空気量Ｑが所定値Ｑｏであるときよりも開弁タイミングを進角させる。また、第二制御部１Ｆは、吸入空気量Ｑが第一範囲にある場合には、吸入空気量Ｑが所定値Ｑｏ未満の第二範囲にあるときよりも噴射開始時刻を遅角させる。【選択図】図１
2019060244.tif 000002
【特許請求の範囲】
【請求項１】
吸気ポートに燃料を噴射する燃料噴射弁と、少なくとも吸気弁の開閉タイミングを変化させる可変動弁機構とを具備したエンジンの制御装置であって、
前記エンジンの吸気通路を流通する吸入空気量を検出する第一検出手段と、
前記吸入空気量に応じて前記吸気弁の開弁タイミングを設定する第一制御手段と、
前記吸入空気量に応じて前記燃料噴射弁の噴射開始時刻を設定する第二制御手段と、を備え、
前記第一制御手段は、前記吸入空気量が所定値以上の第一範囲にある場合には、前記吸入空気量が前記所定値であるときよりも前記開弁タイミングを進角させ、
前記第二制御手段は、前記吸入空気量が前記第一範囲にある場合には、前記吸入空気量が前記所定値未満の第二範囲にあるときよりも前記噴射開始時刻を遅角させる
ことを特徴とする、エンジンの制御装置。
【請求項２】
前記第一制御手段は、前記第一範囲において前記吸入空気量が増加するほど前記開弁タイミングを進角させ、
前記第二制御手段は、前記第一範囲において前記吸入空気量が増加するほど前記噴射開始時刻を遅角させる
ことを特徴とする、請求項１記載のエンジンの制御装置。
【請求項３】
前記エンジンは、過給手段を具備し、
前記第一範囲は、過給圧が大気圧以上となる前記吸入空気量の範囲を含む
ことを特徴とする、請求項１又は２記載のエンジンの制御装置。
【請求項４】
前記エンジンは、大気圧を検出する第二検出手段を具備し、
前記制御装置は、
前記吸入空気量から充填効率を算出する第一算出手段と、
前記吸入空気量および前記大気圧から体積効率を算出する第二算出手段と、を備え、
前記第二制御手段は、前記充填効率および前記体積効率のそれぞれに基づいて前記噴射開始時刻を算出するとともに、算出した二つの前記噴射開始時刻が異なる場合には、より遅角側の一方を前記噴射開始時刻として設定する
ことを特徴とする、請求項１〜３のいずれか１項に記載のエンジンの制御装置。
【請求項５】
前記第一制御手段は、前記第二範囲において前記吸入空気量が増加するほど前記開弁タイミングを遅角させる
ことを特徴とする、請求項１〜４のいずれか１項に記載のエンジンの制御装置。
【発明の詳細な説明】
【技術分野】
【０００１】
本発明は、吸気弁の開閉タイミングを変化させる可変動弁機構とポート噴射弁とを具備したエンジンの制御装置に関する。
【背景技術】
【０００２】
従来、エンジンには、燃焼ガスの掃気効率や吸気の充填効率を改善させるといった観点から、吸気弁の開弁状態と排気弁の開弁状態とが重複するバルブオーバラップ期間が設けられたものが存在する。例えば過給機を備えたエンジンでは、バルブオーバラップ期間を大きくすることで充填効率が向上し、エンジン出力が増大する。そこで、エンジンの吸気弁や排気弁の開閉タイミングを可変にし、エンジン負荷等に応じてバルブオーバラップ期間を制御する技術も開発されている（例えば特許文献１参照）。
【先行技術文献】
【特許文献】
【０００３】
【特許文献１】特開平７−１１９６２号公報
【発明の概要】
【発明が解決しようとする課題】
【０００４】
しかしながら、ポート噴射弁を備えたエンジンでは、バルブオーバラップ期間を大きく設定するほど、吸気通路から筒内に流入した混合気が直接的に排気通路側へと通り抜ける、いわゆる吹き抜けが発生しやすくなる。吹き抜けが発生すると、ポート噴射により供給された燃料は筒内を通過して排気通路側へと流出してしまうため、エンジン出力や排気性能の低下を招きうる。この吹き抜けは、エンジンの目標トルクが大きい場合に（すなわち高負荷ほど）起こりやすく、例えば過給圧が排気圧力よりも高いほど発生しやすい。また、大気圧が標準大気圧よりも低い高地を走行している場合には、空気の密度が低下することから、標準大気圧のときと同じバルブオーバラップ期間を設けたのでは、所望の充填効率が確保されずに出力が低下しうる。
【０００５】
本件は、このような課題に鑑み案出されたもので、所望のエンジン出力を実現するとともに吹き抜けを抑制できるようにした、エンジンの制御装置を提供することを目的の一つとする。なお、これらの目的に限らず、後述する発明を実施するための形態に示す各構成により導かれる作用効果であって、従来の技術によっては得られない作用効果を奏することも本件の他の目的である。
【課題を解決するための手段】
【０００６】
（１）ここで開示するエンジンの制御装置は、吸気ポートに燃料を噴射する燃料噴射弁と、少なくとも吸気弁の開閉タイミングを変化させる可変動弁機構とを具備したエンジンの制御装置であって、前記エンジンの吸気通路を流通する吸入空気量を検出する第一検出手段と、前記吸入空気量に応じて前記吸気弁の開弁タイミングを設定する第一制御手段と、前記吸入空気量に応じて前記燃料噴射弁の噴射開始時刻を設定する第二制御手段と、を備える。前記第一制御手段は、前記吸入空気量が所定値以上の第一範囲にある場合には、前記吸入空気量が前記所定値であるときよりも前記開弁タイミングを進角させる。また、前記第二制御手段は、前記吸入空気量が前記第一範囲にある場合には、前記吸入空気量が前記所定値未満の第二範囲にあるときよりも前記噴射開始時刻を遅角させる。
【０００７】
（２）前記第一制御手段は、前記第一範囲において前記吸入空気量が増加するほど前記開弁タイミングを進角させ、前記第二制御手段は、前記第一範囲において前記吸入空気量が増加するほど前記噴射開始時刻を遅角させることが好ましい。
（３）前記エンジンは、過給手段を具備することが好ましい。この場合、前記第一範囲は、過給圧が大気圧以上となる（すなわち、前記過給手段による過給中での）前記吸入空気量の範囲を含むことが好ましい。
【０００８】
つまり、前記第一範囲を規定する前記吸入空気量と過給圧とは比例関係にあることから、前記第一範囲（前記吸入空気量が前記所定値以上である範囲）には、少なくとも「過給圧≧大気圧」の範囲が含まれることが好ましい。また、前記吸入空気量を負荷やトルクに置き換えた場合、前記第一範囲は、スロットル弁を全開にして前記過給手段による過給が実施されることで過給圧が大気圧以上となる中高負荷範囲であることが好ましい。一方、前記第二範囲は、前記スロットル弁によって吸気量が制御される低負荷範囲であることが好ましい。
【０００９】
（４）前記エンジンは、大気圧を検出する第二検出手段を具備することが好ましい。この場合、前記制御装置は、前記吸入空気量から充填効率を算出する第一算出手段と、前記吸入空気量および前記大気圧から体積効率を算出する第二算出手段と、を備え、前記第二制御手段は、前記充填効率および前記体積効率のそれぞれに基づいて前記噴射開始時刻を算出するとともに、算出した二つの前記噴射開始時刻が異なる場合には、より遅角側の一方を前記噴射開始時刻として設定することが好ましい。
（５）前記第一制御手段は、前記第二範囲において前記吸入空気量が増加するほど前記開弁タイミングを遅角させることが好ましい。
【発明の効果】
【００１０】
開示のエンジンの制御装置によれば、所望のエンジン出力を実現しつつ、吹き抜けの発生を抑制することができる。
【図面の簡単な説明】
【００１１】
【図１】実施形態に係る制御装置のブロック図およびこの制御装置が適用されたエンジンの構成を例示する図である。
【図２】図１の制御装置に設定された第一マップおよび第二マップを示すマップ例（常圧かつエンジン回転数NeAの場合のマップ例）である。
【図３】図１の制御装置に設定された第一マップおよび第二マップを示すマップ例（常圧かつエンジン回転数NeBの場合のマップ例）である。
【図４】図１の制御装置に設定された他のマップ例である。
【図５】図４とは異なる回転数における他のマップ例である。
【図６】図１の制御装置で実施される制御手順を例示するフローチャートである。
【発明を実施するための形態】
【００１２】
図面を参照して、実施形態としてのエンジンの制御装置について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
［１．エンジン］
本実施形態の制御装置１は、図１に示す車載ガソリンエンジン１０（以下、単にエンジン１０と呼ぶ）に適用される。このエンジン１０は、ポート噴射を用いた燃料噴射システムと、排気圧を利用した過給システムとを備えた４ストロークサイクルエンジンである。図１では、多気筒のエンジン１０に設けられた複数の気筒のうちの一つを示す。
【００１４】
各気筒には、吸気ポート内で燃料を噴射するポート噴射弁１１（燃料噴射弁）が設けられる。ポート噴射弁１１から噴射された燃料は吸気ポート内で霧化し、吸入空気（新気）とよく混ざった状態で筒内に導入される。ポート噴射弁１１から噴射される燃料量およびその噴射時期は、制御装置１で制御される。例えば、制御装置１からポート噴射弁１１に制御パルス信号が伝達され、その制御パルス信号の大きさに対応する期間だけ、ポート噴射弁１１の噴射口が開放される。これにより、燃料噴射量は制御パルス信号の大きさ（駆動パルス幅）に応じた量となり、噴射開始時刻は制御パルス信号が伝達された時刻に対応したものとなる。
【００１５】
吸気ポートおよび排気ポートの各開口には、吸気弁１２および排気弁１３が設けられる。吸気弁１２および排気弁１３の各上端部は、可変動弁機構２０内のロッカアームに接続され、ロッカアームの揺動に応じて個別に上下方向に往復駆動される。また、各ロッカアームの他端には、カムシャフトに軸支されたカムが設けられる。カムの形状（カムプロファイル）に応じて、ロッカアームの揺動パターンが定められる。吸気弁１２および排気弁１３のそれぞれの開閉タイミングは、可変動弁機構２０を介して制御装置１で制御される。
【００１６】
本実施形態の可変動弁機構２０には、各ロッカアームの揺動のタイミングを変化させるための機構としてバルブタイミング調整機構２１が設けられる。バルブタイミング調整機構２１は、吸気弁１２および排気弁１３の開閉タイミングを変更する機構であり、ロッカアームに揺動を生じさせるカム又はカムシャフトの回転位相を変更する機能を持つ。
【００１７】
開閉タイミングに対応する制御用のパラメータは、位相角と呼ばれる。この位相角は、基準となるカムシャフトの位相に対する各カムの位相がどの程度進角又は遅角しているかを示す量であり、吸気弁１２および排気弁１３のそれぞれの開閉タイミング（開弁タイミングおよび閉弁タイミング）に対応する。また、位相角は、制御装置１で算出，設定され、バルブタイミング調整機構２１に伝達される。バルブタイミング調整機構２１は、各カムのそれぞれの位相角（吸気位相角，排気位相角）を調整することで開閉タイミングを任意に制御する。
【００１８】
エンジン１０の吸排気系には、排気圧を利用して筒内に吸気を過給する過給機１６（過給手段）が設けられる。過給機１６のタービン１６Ａは排気通路１４上に介装され、コンプレッサ１６Ｂは吸気通路１５上に介装される。過給機１６による過給操作は、制御装置１で制御される。なお、コンプレッサ１６Ｂよりも吸気流れの上流側にはエアフィルタ１７が設けられ、外部から取り込まれる空気が濾過される。また、コンプレッサ１６Ｂよりも吸気流れの下流側にはインタクーラ１８が設けられ、圧縮された空気が冷却される。インタクーラ１８の下流側には電子制御式のスロットル弁１９が設けられる。吸気ポートへと流れる空気量は、スロットル弁１９の開度（スロットル開度）に応じて調節される。スロットル開度は、制御装置１で制御される。なお、タービン１６Ａよりも下流側には、図示しない触媒装置が介装される。
【００１９】
排気通路１４には、タービン１６Ａの上流側および下流側を接続するように排気バイパス通路２２が設けられる。また、排気バイパス通路２２上には電子制御式のウェイストゲートバルブ２３が介装される。ウェイストゲートバルブ２３は、タービン１６Ａ側に流入する排気流量を制御して過給圧を変化させる過給圧調節弁である。このウェイストゲートバルブ２３にはアクチュエータが併設され、弁体の位置（すなわち開度）が電気的に制御される。アクチュエータの動作は、制御装置１で制御される。
【００２０】
エンジン１０には、エンジン１０の回転数Neを検出する回転数センサ２と、吸気通路１５を流通する吸入空気量を検出するエアフローセンサ３（第一検出手段）と、スロットル弁１９の上流圧を検出するスロットル上流圧センサ４と、インマニ圧を検出するインマニ圧センサ５と、吸気温を検出する吸気温センサ６とが設けられる。また、車両には、アクセルペダルの踏み込み量（アクセル開度）を検出するアクセル開度センサ７（ＡＰＳ）が設けられる。アクセル開度は、運転者の加速要求や発進意思に対応するパラメータであり、言い換えるとエンジン１０の負荷（エンジン１０に対する出力要求）に相関するパラメータである。さらに、車両には大気圧を検出する大気圧センサ８（第二検出手段）が設けられる。大気圧センサ８は、エンジン１０が有していてもよいし、制御装置１に内蔵されていてもよい。センサ２〜８で検出された各種情報は、制御装置１に伝達される。
【００２１】
制御装置１は、エンジン１０に関する点火系，燃料系，吸排気系および動弁系といった広汎なシステムを総合的に制御する電子制御装置（コンピュータ，ＥＣＵ）である。制御装置１は、例えばマイクロプロセッサやＲＯＭ，ＲＡＭ等を集積したＬＳＩデバイスや組み込み電子デバイスとして構成され、車両に設けられた車載ネットワークの通信ラインに接続される。制御装置１は、エンジン１０の各気筒に対して供給される空気量や燃料噴射量，各気筒の点火時期，過給圧等を制御するものである。制御装置１の入力ポートには、上記のセンサ２〜８が接続される。入力情報は、エンジン回転数，吸入空気量，インマニ圧，吸気温度，アクセル開度，大気圧等である。
【００２２】
制御装置１の具体的な制御対象としては、ポート噴射弁１１から噴射される燃料噴射量とその噴射時期，点火プラグによる点火時期，吸気弁１２および排気弁１３の開閉タイミング，過給機１６の作動状態，スロットル弁１９の開度，ウェイストゲートバルブ２３の開度等が挙げられる。本実施形態では、吸気弁１２の開弁タイミング（吸気位相角）およびポート噴射弁１１からの燃料の噴射開始時刻（SOI；Start of Injection，噴射開始角度）を制御する制御装置１について説明する。本実施形態の制御装置１は、予め記憶された二種類のマップを使ってこれらの制御を行う。
【００２３】
［２．制御概要］
制御装置１は、エアフローセンサ３で検出された吸入空気量（すなわち実吸入空気量Q）に応じて、吸気弁１２の開弁タイミング（吸気位相角）およびポート噴射弁１１からの燃料の噴射開始時刻（SOI）をそれぞれ設定する。そして、設定した開弁タイミングをバルブタイミング調整機構２１に伝達することで吸気弁１２の開弁タイミングを制御する。さらに、設定した噴射開始時刻に対応する制御パルス信号をポート噴射弁１１に伝達することで噴射時期を制御する。なお、実吸入空気量Qは、エンジン１０の目標トルクTから算出される目標吸入空気量に基づいてスロットル弁１９が制御されることで変化する。また、本実施形態では、排気弁１３の開閉タイミングは一定とする。そのため、本実施形態では、吸気弁１２の開弁タイミングが変更されることで、バルブオーバラップ期間が変更される。
【００２４】
制御装置１は、上記の設定において、実吸入空気量Qが所定値Qo以上である第一範囲にある場合と、実吸入空気量Qが上記の所定値Qo未満である第二範囲にある場合とで、開弁タイミングおよび噴射開始時刻の設定の仕方をそれぞれ変更する。以下、第一範囲を「出力重視領域」と呼び、第二範囲を「燃費重視領域」と呼ぶ。なお、燃費重視領域のさらに低負荷側、すなわち、実吸入空気量Qが所定値Qoよりも小さい第二所定値未満である第三範囲に、アイドル運転に適した領域が設定されていてもよい。
【００２５】
出力重視領域は実吸入空気量Qが比較的多い中負荷および高負荷の領域であって、エンジン１０に要求される出力（ドライバ要求トルク）を実現することを重視した運転領域である。出力重視領域では、スロットル開度が全開にされたうえで過給が実施される。言い換えると、出力重視領域には、過給機１６による過給が実施されており、過給圧が大気圧以上である実吸入空気量Qの範囲が含まれる。
【００２６】
一方、燃費重視領域は実吸入空気量Qが比較的少ない低負荷の領域であって、燃費向上を重視した運転領域である。燃費重視領域では過給は実施されず、スロットル開度によって吸気量が制御される。また、これらの領域の境界となる実吸入空気量Qの値（すなわち所定値Qo）では、ノッキングの発生を抑制するために開弁タイミングが最も遅角側に設定される。言い換えると、開弁タイミングが最遅角に設定される実吸入空気量Qの値Qoが、出力重視領域と燃費重視領域との境目となる。
【００２７】
つまり、制御装置１は、実吸入空気量Qが出力重視領域にある場合には、実吸入空気量Qが所定値Qoであるときよりも開弁タイミングを進角させる。本実施形態の制御装置１は、出力重視領域において実吸入空気量Qが増大するほど開弁タイミングを進角させる（所定値Qoからの進角量を増大させる）。これにより、出力重視領域では、高負荷であるほどオーバラップ期間が増大され、筒内に導入される吸気量が増大する。
【００２８】
本実施形態の制御装置１は、実吸入空気量Qが燃費重視領域にある場合には、実吸入空気量Qが所定値Qoであるときよりも開弁タイミングを進角させる。本実施形態の制御装置１は、燃費重視領域において実吸入空気量Qが増大するほど（所定値Qoに近づくほど）開弁タイミングを遅角させる（所定値Qoからの進角量を減少させる）。これにより、燃費重視領域では、内部ＥＧＲ量が増大してポンプ損失が低下する。
【００２９】
また、制御装置１は、実吸入空気量Qが出力重視領域にある場合には、実吸入空気量Qが燃費重視領域にあるときよりも噴射開始時刻を遅角させる。本実施形態の制御装置１は、出力重視領域において実吸入空気量Qが増大するほど噴射開始時刻を遅角させる（所定値Qoからの遅角量を増大させる）。出力重視領域では、実吸入空気量Qの増大に伴い開弁タイミングが進角されてオーバラップ期間が増大されることから、これに併せて噴射開始時刻が遅角されることで、混合気の吹き抜けが抑制される。
【００３０】
さらに本実施形態の制御装置１は、大気圧の影響をも考慮して開弁タイミングおよび噴射開始時刻を設定する。具体的には、実吸入空気量Qから充填効率Ecを算出するとともに、充填効率Ecおよび大気圧から体積効率Evを算出する。そして、充填効率Ecおよび体積効率Evのそれぞれに基づいて開弁タイミングを算出するとともに、充填効率Ecおよび体積効率Evのそれぞれに基づいて噴射開始時刻を算出する。さらに、算出した二つの開弁タイミングを比較し、両者が異なる場合には、より進角側の一方を開弁タイミングとして設定する。また、算出した二つの噴射開始時刻を比較し、両者が異なる場合には、より遅角側の一方を噴射開始時刻として設定する。なお、両者が一致する場合には、その値がそのまま開弁タイミングや噴射開始時刻として設定される。
【００３１】
例えば、標準大気圧よりも大気圧が低い高地では、空気密度が標準大気圧状態（例えば平地）よりも低下するため、充填効率Ecベースの開弁タイミングと体積効率Evベースの開弁タイミングとが一致せず、充填効率Ecベースの噴射開始時刻と体積効率Evベースの噴射開始時刻とが一致しない。そのため、二つの値が一致しない場合には、両者のうち、より進角側，より遅角側の値をそれぞれ採用して、その値を最終的な開弁タイミングおよび噴射開始時刻として設定することで、空気密度の低下分を考慮した制御が可能となる。
【００３２】
本実施形態の制御装置１には、充填効率Ecおよび体積効率Evのそれぞれに対する開弁タイミングが設定された第一マップと、充填効率Ecおよび体積効率Evのそれぞれに対する噴射開始時刻が設定された第二マップとをセットにした制御マップが、エンジン回転数Neごとに予め記憶されている。すなわち、第一マップの横軸は充填効率Ec又は体積効率Evであり、縦軸は開弁タイミングである。また、第二マップの横軸も充填効率Ec又は体積効率Evであり、縦軸は噴射開始時刻である。
【００３３】
本実施形態の制御装置１は、回転数センサ２で検出されたエンジン回転数Neに対応する制御マップを選択する。そして、その制御マップに充填効率Ecおよび体積効率Evを適用することで開弁タイミングおよび噴射開始時刻を取得するとともに最適な一方を選択し、バルブタイミング調整機構２１やポート噴射弁１１等を制御する。
【００３４】
ここで、制御装置１に記憶されている、横軸を充填効率Ecとした制御マップの一例を図２および図３に示す。なお、横軸を体積効率Evとした制御マップは、図示は省略しているが、図２および図３の制御マップと同様の傾向を持っている。図２は標準大気圧用の制御マップであって、エンジン回転数Neが第一回転数NeAの場合（常圧かつNe＝NeAの運転状態で使用されるマップ）である。図３は標準大気圧用の制御マップであって、エンジン回転数Neが第一回転数NeAよりも高い第二回転数NeBの場合（常圧かつNe＝NeBの運転状態で使用されるマップ）である。なお、図３には、図２中のグラフを二点鎖線で重ねて示している。
【００３５】
図２および図３に示すように、制御マップの第一マップには、充填効率Ecに基づいて、出力重視領域（第一範囲）および燃費重視領域（第二範囲）の二つの領域が設定されている。これらの領域の境界となる負荷値（充填効率Ecの値Eco）は、上記の実吸入空気量Qの所定値Qoに対応する値である。所定値Qoに対応する境界値Ecoでは、吸気弁１２の開弁タイミングが最も遅角側に設定されている。
【００３６】
出力重視領域では、開弁タイミングが境界値Ecoの値よりも進角側に設定されており、噴射開始時刻が燃費重視領域の値よりも遅角側に設定されている。一方、燃費重視領域では、開弁タイミングが境界値Ecoの値よりも進角側に設定されており、噴射開始時刻が最進角側（排気行程の開始時点付近）に設定されている。ここでは、燃費重視領域での開弁タイミングが、充填効率Ecが高くなるほど遅角側に設定されている。なお、燃費重視領域での開弁タイミングは燃費が最適になるように設定されていればよく、図２および図３に示すものに限られない。
【００３７】
本実施形態の第二マップには、噴射開始時刻の遅角側の限界値SOILIMが設定されており、噴射開始時刻はこの限界値SOILIMを超えて遅角化されることはない。この限界値SOILIMは、噴射開始時刻が最遅角に制御された場合にも燃料と新気との最低限の混合時間を確保するためのものである。限界値SOILIMは、図３中の第二マップに白抜き矢印で示すように、エンジン回転数Neが高いほど（NeAよりもNeBのほうが）進角側に設定される。これは、エンジン回転数Neが高いほど混合気が吹き抜けにくくなることから、噴射開始時刻の遅角量を抑えて混合時間を確保するためである。なお、吹き抜けにくくなる理由は、エンジン回転数Neが高いほど、エンジン１０のクランクシャフトが一回転するのにかかる時間が短くなるためバルブオーバラップ期間が短くなるのに対し、ポート噴射された燃料が吸気弁１２に到達するまでの時間は回転数によらずほぼ一定であるからである。
【００３８】
なお、図２および図３の制御マップは横軸が充填効率Ecであるが、横軸を実吸入空気量Qにした制御マップの一例を図４および図５に示す。図４はエンジン回転数Neが第一回転数NeAのときのマップであり、図５はエンジン回転数Neが第二回転数NeBのときのマップである。図４および図５に示すように、横軸を実吸入空気量Qとした場合には、大気圧の影響によって開弁タイミングおよび噴射開始時刻のグラフが変化する。
【００３９】
具体的には、大気圧が低下するほど（空気密度が低下するほど）、同一の実吸入空気量Qに対して、開弁タイミングが進角するとともに噴射開始時刻が遅角する。また、図４中に白抜き丸印で示すように、低回転域における出力重視領域は、大気圧の低下とともに低負荷側へと広がる（所定値Qoが低負荷側にシフトする）。これは、大気圧が低い高地での低回転状態では、標準大気状態に比べて実吸入空気量Qが少ない状態からスロットル弁１９を全開にしないと（好ましくは過給を実施しないと）、所望の出力を確保できないためである。また、低回転域において出力重視領域が拡大すると、それに伴って燃費重視領域は狭くなる。
【００４０】
また、図４および図５中に白抜き三角印で示すように、大気圧が低いほど噴射開始時刻が遅角され始める実吸入空気量Qの値が小さくなる。言い換えると、噴射開始時刻は、低実吸入空気量Q側から遅角される。これらによって、大気圧が標準大気圧でない場合にも、目標トルクTに相当する所望の出力トルクを実現しつつ、燃料の吹き抜けが抑制される。
【００４１】
［３．制御構成］
制御装置１には、上述した開弁タイミングおよび噴射開始時刻の設定、および可変動弁機構２０やポート噴射弁１１等を制御するためのプログラムが、例えばメモリに記録，保存されている。あるいは、コンピュータ読み取り可能な記録媒体に記録，保存され、インタフェイス装置に接続された読み取り装置を介して、制御装置１に読み込まれて実行される。
【００４２】
プログラムには、目標トルク算出部１Ａ，スロットル制御部１Ｂ，充填効率算出部１Ｃ，体積効率算出部１Ｄ，第一制御部１Ｅおよび第二制御部１Ｆが設けられる。これらの要素は、制御装置１で実行されるプログラムの一部の機能を示すものであり、ソフトウェアで実現されるものとする。ただし、各機能の一部又は全部をハードウェア（電子回路）で実現してもよく、あるいは、ソフトウェアとハードウェアとを併用して実現してもよい。
【００４３】
目標トルク算出部１Ａは、エンジン１０が出力すべきトルクの目標値（すなわち目標トルクT）を算出するものである。スロットル制御部１Ｂは、目標トルクTに基づいて目標吸入空気量を算出するとともに、その目標吸入空気量に基づいてスロットル弁１９を制御するものである。スロットル開度が変化することにより、エアフローセンサ３で検出される実吸入空気量Qが変化する。
【００４４】
充填効率算出部１Ｃ（第一算出手段）は、実吸入空気量Qから充填効率Ecを算出するものである。また、体積効率算出部１Ｄ（第二算出手段）は、実吸入空気量Qおよび大気圧から体積効率Ecを算出するものである。なお、これらの算出には、例えば上記のセンサ３〜７で検出された値が用いられ、公知の方法が採用される。また、本実施形態では、充填効率算出部１Ｃおよび体積効率算出部１Ｄが、回転数センサ２で検出されたエンジン回転数Neに対応する制御マップをそれぞれ選択する。
【００４５】
第一制御部１Ｅ（第一制御手段）は、実吸入空気量Qに応じて開弁タイミングを設定して可変動弁機構２０を制御するものである。第一制御部１Ｅは、実吸入空気量Qが出力重視領域にある場合には、実吸入空気量Qが所定値Qoであるときよりも開弁タイミングを進角させ、この進角量を実吸入空気量Qが増加するほど大きくする。また、第一制御部１Ｅは、燃費重視領域において実吸入空気量Qが増加するほど開弁タイミングを遅角させる。
【００４６】
第二制御部１Ｆ（第二制御手段）は、実吸入空気量Qに応じて噴射開始時刻を設定してポート噴射弁１１を制御するものである。第二制御部１Ｆは、実吸入空気量Qが出力重視領域にある場合には、実吸入空気量Qが燃費重視領域にあるときよりも噴射開始時刻を遅角させ、この遅角量を実吸入空気量Qが増加するほど大きくする。
本実施形態では、第一制御部１Ｅおよび第二制御部１Ｆが、制御マップを用いて開弁タイミングおよび噴射開始時刻を設定する。
【００４７】
すなわち、本実施形態の第一制御部１Ｅは、選択された制御マップの第一マップに対し、算出された充填効率Ecおよび体積効率Evをそれぞれ適用して、充填効率Ecベースの開弁タイミングと、体積効率Evベースの開弁タイミングとを取得する。そして、取得した二つの開弁タイミングのうち、より進角側の一方を開弁タイミングとして設定し、その開弁タイミングをバルブタイミング調整機構２１に伝達して開弁タイミングを制御する。なお、本実施形態では、排気弁１３の位相角は一定（固定値）とされているため、第一制御部１Ｅは吸気弁１２の開弁タイミングを制御することでオーバラップ期間を変更（調整）する。
【００４８】
また、本実施形態の第二制御部１Ｆは、選択された制御マップの第二マップに対し、算出された充填効率Ecおよび体積効率Evをそれぞれ適用して、充填効率Ecベースの噴射開始時刻と、体積効率Evベースの噴射開始時刻とを取得する。そして、取得した二つの噴射開始時刻のうち、より遅角側の一方を噴射開始時刻として設定し、その噴射開始時刻にポート噴射が実施されるように、ポート噴射弁１１に制御パルス信号を伝達する。なお、燃料噴射量は、例えば充填効率Ecに基づき算出される。
【００４９】
［４．フローチャート］
図６は、上述した制御内容を説明するためのフローチャート例である。このフローチャートは、車両の主電源がオンの場合に制御装置１において所定の演算周期で実施される。
まず、上記のセンサ２〜８で検出された各種情報が制御装置１に入力され（ステップＳ１）、目標トルク算出部１Ａによって目標トルクTが算出される（ステップＳ２）。
【００５０】
ステップＳ３では、スロットル制御部１Ｂにおいてスロットル弁１９が制御され、これにより吸入空気量が変化するため、エアフローセンサ３によって実吸入空気量Qが検出される。次いで、充填効率算出部１Ｃによって充填効率Ecが算出されるとともに（ステップＳ４）、体積効率算出部１Ｄによって体積効率Evが算出される（ステップＳ５）。さらに、エンジン回転数Neに対応する制御マップが選択される（ステップＳ６）。
【００５１】
ステップＳ７では、第一制御部１Ｅによって、充填効率Ecおよび体積効率Evのそれぞれに基づいて開弁タイミングが第一マップから取得される。そして、二つの開弁タイミングが異なるか否かが判定される（ステップＳ８）。二つの開弁タイミングが異なる場合には、ステップＳ９に進み、より進角側の一方が選択されて、開弁タイミングとして設定される。一方、二つの開弁タイミングが一致する場合には、ステップＳ１０に進み、その値が開弁タイミングとして設定される。
【００５２】
ステップＳ１１では、第二制御部１Ｆによって、充填効率Ecおよび体積効率Evのそれぞれに基づいて噴射開始時刻が第二マップから取得される。そして、二つの噴射開始時刻が異なるか否かが判定される（ステップＳ１２）。二つの噴射開始時期が異なる場合には、ステップＳ１３に進み、より遅角側の一方が選択されて、噴射開始時刻として設定される。一方、二つの噴射開始時刻が一致する場合には、ステップＳ１４に進み、その値が噴射開始時刻として設定される。そして、第一制御部１Ｅおよび第二制御部１Ｆによって可変動弁機構２０およびポート噴射弁１１がそれぞれ制御され（ステップＳ１５）、このフローをリターンする。
【００５３】
［５．作用，効果］
（１）上述した制御装置１では、実吸入空気量Qに応じて、吸気弁１２の開弁タイミング（すなわちバルブオーバラップ期間）とポート噴射弁１１からの燃料の噴射開始時刻（すなわちポート噴射タイミング）とが設定される。具体的には、実吸入空気量Qが出力重視領域にある場合には、開弁タイミングが進角されるとともに噴射開始時刻が遅角される。このため、所望のエンジン出力を実現しつつ、吹き抜けの発生を抑制することができる。
【００５４】
（２）上述した制御装置１では、出力重視領域において実吸入空気量Qが増加するほど、開弁タイミングが進角されるとともに噴射開始時刻が遅角される。実吸入空気量Qの増加に伴い、空気の慣性力が大きくなるため、圧縮行程中に吸気弁１２を閉じたとしても、空気が逆流しにくくなる。そこで、出力重視領域において実吸入空気量Qが増加するほど開弁タイミングを進角することで閉弁タイミングも進角させ、燃焼に寄与する空気量を増やすことができ、エンジン１０の出力を高めることができる。一方で、バルブオーバラップ期間が長くなることにより燃料の吹き抜けが発生しやすいが、出力重視領域（中高負荷領域）では、実吸入空気量Qの増加とともに噴射開始時刻を遅角するため、燃料の吹き抜けを効果的に抑制することができる。
【００５５】
（３）上記のエンジン１０は過給機１６を備えており、出力重視領域には過給が実施されているときの実吸入空気量Qの範囲が含まれている。上述した制御装置１では、過給機１６による過給が行われる場合、すなわち実吸入空気量Qが出力重視領域にある場合には、開弁タイミングが進角されるため、所望の出力を確保することができる。さらに、この場合には噴射開始時刻が遅角されるため、吹き抜けの発生を抑制することができる。
【００５６】
（４）上述した制御装置１では、充填効率Ecおよび体積効率Evのそれぞれに基づいて噴射開始時刻が算出され、二つの噴射開始時刻が異なる場合には、より遅角側の一方が噴射開始時刻として設定されるため、大気圧の影響（例えば標高）をも考慮して燃料の吹き抜けを防止することができ、燃焼安定性を向上させることができる。また、上記の実施形態では、開弁タイミングも同様に二つ算出され、これらが異なる場合には、より進角側の一方が開弁タイミングとして設定されるため、大気圧の影響をも考慮して、所望のエンジン出力を実現することができる。
【００５７】
（５）上述した制御装置１では、燃費重視領域において実吸入空気量Qが増加するほど開弁タイミングが遅角されるため、燃費重視領域においても出力を確保すべき状況では吸気量を増大させることができ、所望のエンジン出力を実現することができる。なお、上記の実施形態では、噴射開始時刻の遅角側の限界値SOILIMが設定されているため、噴射開始時刻が最遅角に制御された場合にも燃料と新気との最低限の混合時間を確保することができる。さらに、この限界値は、エンジン回転数Neが高いほど（混合気が吹き抜けにくいほど）進角側に設定されているため、吹き抜けを考慮しつつ混合時間を確保することができる。また、上記の実施形態では、予め設定された制御マップを用いて開弁タイミングおよび噴射開始時刻が設定されるため、複雑な演算処理が不要であり、制御負荷を低減することができる。
【００５８】
［６．その他］
上述した各実施形態に関わらず、それらの趣旨を逸脱しない範囲で種々変形して実施することができる。上述した各実施形態の各構成は、必要に応じて取捨選択することができ、あるいは適宜組み合わせてもよい。
上述した実施形態では、制御マップを用いて開弁タイミングおよび噴射開始時刻を設定する場合を例示したが、制御マップは必須ではなく、例えば数式等を使って開弁タイミングおよび噴射開始時刻を設定してもよい。また、制御マップを使う場合であっても、図２〜図５に示す制御マップ（第一マップおよび第二マップ）の各特性は一例であり、上述した制御マップ以外のマップを用いてもよい。
【００５９】
上述した負荷に対する開弁タイミングの進角の変化（進角し始める充填効率Ecの値，負荷の増大量と進角量との関係など）は一例である。また、上述した負荷に対する噴射開始時刻の遅角の変化（遅角し始める充填効率Ecの値，負荷の増大量と遅角量との関係など）は一例である。例えば、低負荷では吸気通路１５内の圧力が低く、排気圧力よりも高くなることがないことから燃料の吹き抜けが発生しにくい。そのため、低負荷側では噴射開始時刻を遅角させない設定としてもよい。
【００６０】
また、上述したエンジン１０の構成は一例であって、上述したものに限られない。例えば、ポート噴射弁１１に加えて、筒内に直接燃料を噴射する筒内噴射弁を備えたエンジンであってもよい。また、可変動弁機構は、少なくとも吸気弁１２の開弁タイミングを変化させる機構を有していればよく、排気弁１３側のバルブタイミング調整機構２１は省略してもよい。反対に、可変動弁機構が、吸気弁１２や排気弁１３の最大バルブリフト量を連続的に変更する機構（バルブリフト量調整機構）を併せ持つものであってもよい。
【符号の説明】
【００６１】
１  制御装置
１Ａ  目標トルク算出部
１Ｂ  スロットル制御部
１Ｃ  充填効率算出部（第一算出手段）
１Ｄ  体積効率算出部（第二算出手段）
１Ｅ  第一制御部（第一制御手段）
１Ｆ  第二制御部（第二制御手段）
３  エアフローセンサ（第一検出手段）
８  大気圧センサ（第二検出手段）
１０  エンジン
１１  ポート噴射弁（燃料噴射弁）
１２  吸気弁
１５  吸気通路
１６  過給機（過給手段）
２０  可変動弁機構
Ec  充填効率
Ev  体積効率
Ne  エンジン回転数
Q  実吸入空気量（吸入空気量）
Qo  所定値
【図１】
2019060244.tif 000003
【図２】
2019060244.tif 000004
【図３】
2019060244.tif 000005
【図４】
2019060244.tif 000006
【図５】
2019060244.tif 000007
【図６】
2019060244.tif 000008